(57)【要約】      （修正有）【課題】製造コストを増加することがなく、押し圧面、受圧面のプラス、マイナスの作用力を分散し、強度の高いアルミニウム型を提供する。【解決手段】アルミニウム型と下アルミニウム型とを含み、上アルミニウム型は―対の滑動ブロックを具え、押し圧面が下アルミニウム型の受圧面に対応し、下アルミニウム型は滑動溝を具え、表面に受圧面を形成し、上アルミニウム型の押し圧面の反作用力を受けて、滑動溝の底面を受圧面として、上アルミニウム型の滑動ブロックの底部の押し圧面の反作用力を受け、上アルミニウム型に形成された―対の滑動ブロックにより、上アルミニウム型の両側の中段の凹んだ部分に形成された押し圧面が下アルミニウム型に形成された滑動溝により下アルミニウム型の表面に受圧面が形成されて、押し圧面、受圧面のプラス、マイナスの作用力を分散するために便利で、強度を高める構造を具える。【選択図】図２
0003127736.tif 000002
【実用新案登録請求の範囲】
【請求項１】
上アルミニウム型と、下アルミニウム型とを含んでなり、該上アルミニウム型は一対の滑動ブロックを具えてなり、該滑動ブロックの両側中段の内側に凹んだ部分に形成された押し圧面が下アルミニウム型の受圧面に対応し、底部を押し圧面として下アルミニウム型の受圧面に対応するように形成され、該下アルミニウム型は、滑動溝を具えてなり、表面に受圧面を形成し、上アルミニウム型の押し圧面の反作用力を受けて、滑動溝の底面を受圧面として、上アルミニウム型の滑動ブロックの底部の押し圧面の反作用力を受け、上アルミニウム型に形成された一対の滑動ブロックにより、上アルミニウム型の両側の中段の凹んだ部分に形成された押し圧面が下アルミニウム型に形成された滑動溝により下アルミニウム型の表面に受圧面が形成されて上下アルミニウム型の押し圧面と受圧面の面積が増加して、押し圧面、受圧面のプラス、マイナスの作用力を分散するために便利で、強度を高める構造を具えてなることを特徴とするアルミニウム型。
【請求項２】
前記滑動ブロックと該滑動ブロックに対応する滑動溝は、両者の表面と底部における上方の表面に隣接する部分と下方の底部に隣接する部分のザイズが、上方が狭く、下方が広いか、もしくは上方が広く、下方が狭いか、もしくは同じ大きさか、中間部分が広いか、もしくは同じ大きさか、中間が狭く形成されることを
特徴とする請求項工に記載のアルミニウム型。
【請求項３】
前記滑動ブロックの角部は、角を折り曲げて鈍角を形成するように設け、該角部に対応する滑動ブロックの角部も同様に鈍角を形成するように設けてもよいことを特徴とする請求項1に記載のアルミニウム型。
【請求項４】
前記滑動構内に単一の滑動ブロックを形成し、上アルミニウム型の単一滑動ブロックを複数形成してもよいことを特徴とする請求項1に記載のアルミニウム型。
【請求項５】
前記上アルミニウム型の滑動ブロックは、鋸の歯を呈するように複数の滑動ブロックに形成してもよく、対応する下アルミニウム型の滑動溝も鋸の歯を呈するように複数の滑動溝に形成してもよいことを特徴とする請求項1に記載のアルミニウム型。
【考案の詳細な説明】
【技術分野】
【０００１】
この考案は、アルミニウム型に関し、特に受ける作用力を分散することができるアルミニウム型に関する。
【背景技術】
【０００２】
従来のアルミニウム製の押し型は図1に開示するように、上下アルミニウム型３０，４０の嵌合面に等間隔で複数の上下嵌合溝３０１、４０１を形成し、上下アルミウム型３０、４０を互いに嵌合して固定するために供する。
また、上下嵌合溝３０１、４０１の底部の押し圧面、受圧面３０２、４０２は上下アルミウム型３０，４０がブラス、マイナスの作用力を受けると、押し圧面、受圧面３０２、４０２によりアルミウム型３０、４０上でプラス、マイナス作用力を分散するという目的が達成される。
【０００３】
しかしながら、従来の押し型にはいくつかの改良点があった。従来の押し型は上下アルミニウム型の両側がいずれも直線に設計されているため、押し圧面、受圧面の面積を広げることができない。よって、上下アルミニウム型の押し圧面、受圧面のプラス、マイナス作用力を分散することができない。このため、上下アルミニウム型の押し圧面、受圧面がプラス、マイナスの作用力の影響を受けると、強度不足により断裂が容易に発生し、安全性に問題があった。
【０００４】
また、上下アルミニウム型がいずれも嵌合溝を具えてなるため、滑動ブロックを具えた上アルミニウム型及び滑動溝を具えた下アルミニウム型を使用していない。よって、上下アルミニウム型を組み合わせると、上下嵌合溝は必ず一つ一つが正確に対応していなければならず、頻繁に使用し、長期使用による消耗などが発生すると、組み合わせが難しくなり、組み合わせるためのコストが増加する。よって、従来の押し型を使用する場合には使用者の需要を満たすことができず改良する必要があった。
【考案の開示】
【考案が解決しようとする課題】
【０００５】
この考案は、製造コストを増加することがなく、押し圧面、受圧面のプラス、マイナスの作用力を分散し、強度の高いアルミニウム型を提供することを課題とする。
【課題を解決するための手段】
【０００６】
そこで、本考案の考案者は従来の技術に見られる欠点に鑑みて鋭意研究を重ねた結果、上アルミニウム型と、下アルミニウム型とを含んでなり、該上アルミニウム型は一対の滑動ブロックを具えてなり、該滑動ブロックの両側中段の内側に凹んだ部分に形成された押し圧面が下アルミニウム型の受圧面に対応し、底部を押し圧面として下アルミニウム型の受圧面に対応するよぅに形成され、該下アルミニウム型は、滑動溝を具えてなり、表面に受圧面を形成し、上アルミニウム型の押し圧面の反作用力を受けて、滑動溝の底面を受圧面として、上アルミニウム型の滑動ブロックの底部の押し圧面の反作用力を受け、上アルミニウム型に形成された一対の滑動ブロックにより、上アルミニウム型の両側の中段の凹んだ部分に形成された押し圧面が下アルミニウム型に形成された滑動溝により下アルミニウム型の表面に受圧面が形成されて上下アルミニウム型の押し圧面と受圧面の面積が増加して、押し圧面、受圧面のプラス、マイナスの作用力を分散するために便利で、強度を高める構造を具えてなる構造からなる。
【０００７】
以下、この考案について具体的に説明する。
請求項1に記載するアルミニウム型は上アルミニウム型と、下アルミニウム型とを含んでなり、該上アルミニウム型は一対の滑動ブロックを具えてなり、該、滑動ブロックの両側中段の内側に凹んだ部分に形成された押し圧面が下アルミニウム型の受圧面に対応し、底部を押し圧面として下アルミニウム型の受圧面に対応するように形成され、該下アルミニウム型は、滑動溝を具えてなり、表面に受圧面を形成し、上アルミニウム型の押し圧面の反作用力を受けて、滑動溝の底面を受圧面として、上アルミニウム型の滑動ブロックの底部の押し圧面の反作用力を受け、上アルミニウム型に形成された一対の滑動ブロックにより、上アルミニウム型の両側の中段の凹んだ部分に形成された押し圧面が下アルミニウム型に形成された滑動溝により下アルミニウム型の表面に受圧面が形成されて上下アルミニウム型の押し圧面と受圧面の面積が増加して、押し圧面、受圧面のプラス、マイナスの作用力を分散するために便利で、強度を高める構造を具えてなる。
【０００８】
請求項2に記載のアルミニウム型は、請求項1における滑動ブロックと該滑動ブロックに対応する滑動溝が、両者の表面と底部における上方の表面に隣接する部分と下方の底部に隣接する部分のサイズが、上方が狭く、下方が広いか、もしくは上方が広く、下方が狭いか、もしくは同じ大きさか、中間部分が広いか、もしくは同じ大きさか、中間が狭く形成される。
【０００９】
請求項3に記載のアルミニウム型は、請求項1における滑動ブロックの角部が、角を折り曲げて鈍角を形成するように設け、該角部に対応する滑動ブロックの角部も同様に鈍角を形成するように設けてもよい。
【００１０】
請求項4に記載のアルミニウム型は、請求項1における滑動溝内に単一の滑動ブロックを形成し、上アルミニウム型の単一滑動ブロックを複数形成してもよい。
【００１１】
請求項５に記載のアルミニウム型は、請求項1における上アルミニウム型の滑動ブロックが、鋸の歯を呈するように複数の滑動ブロックに形成してもよく、対応する下アルミニウム型の滑動溝も鋸の歯を呈するように複数の滑動溝に形成してもよい。
【考案の効果】
【００１２】
この考案のアルミニウム型は、強度が高められたため、事故などが発生する危険性を押さえ、使用者の安全性を高める効果を有する。
【考案を実施するための最良の形態】
【００１３】
この考案は、製造コストを増加することがなく、押し圧面、受圧面のプラス、マイナスの作用力を分散し、強度の高いアルミニウム型であって、上アルミニウム型と、下アルミニウム型とを含んでなり、該上アルミニウム型は一対の滑動ブロックを具えてなり、該滑動ブロックの両側中段の内側に凹んだ部分に形成された押し圧面が下アルミニウム型の受圧面に対応し、底部を押し圧面として下アルミニウム型の受圧面に対応するように形成され、該下アルミニウム型は、滑動溝を具えてなり、表面に受圧面を形成し、上アルミニウム型の押し圧面の反作用力を受けて、滑動溝の底面を受圧面として、上アルミニウム型の滑動ブロックの底部の押し圧面の反作用力を受け、
上アルミニウム型に形成された一対の滑動ブロックにより、上アルミニウム型の両側の中段の凹んだ部分に形成された押し圧面が下アルミニウム型に形成された滑動溝により下アルミニウム型の表面に受圧面が形成されて上下アルミニウム型の押し圧面と受圧面の面積が増加して、押し圧面、受圧面のプラス、マイナスの作用力を分散するために便利で、強度を高める構造を具えてなる。
かかるアルミニウム型の構造と特徴を詳述するために具体的な実施例を挙げ、図示を参照にして以下に説明する。
【実施例】
【００１４】
図2、3、4に開示するように、この考案のプラス、マイナスの作用力を分散することができる強度を高めたアルミニウム型工は、上アルミニウム型１０と下アルミニウム型２０とを組み合わせて構成する。
【００１５】
上アルミニウム型１０は滑動ブロック１０３を設けてなるため、下アルミニウム型２０の滑動溝２０３の内部を滑動することができる。上アルミニウム型1０の両側の中段の内側に凹んだ部分に形成された押し圧面１０１と、下アルミニウム型２０の受圧面２０１はそれぞれ対応し、上アルミニウム型１０の押し圧面１０１の作用力を分散することができる。
【００１６】
下アルミニウム型２０は滑動溝２０３を設けてなり、上アルミウム型１０の滑動ブロック１０３を滑動するために供する。下アルミニウム型２０の表面に形成された受圧面2０1は上アルミニウム型１０の押し圧面１０１に対応し、下アルミニウム型２０の受圧面２０２のマイナスの作用力を分散することができる。
【００１７】
上述の構造により、この考案の押し型1は図5に開示するように、プラス、マイナスの作用力を分散することができる。
【００１８】
この考案を実施する場合、この考案の上、下アルミニウム型１０、２０はそれぞれ押し圧面と、受圧面１０１、２０１とが新たに設けられるため、押し圧面、受圧面１０２、２０２の面積が増加して押し圧面、受圧面１０２、２０２が受けるプラス、マイナスの作用力を分散するために便利でアルミニウム型1の強度を高める。
【００１９】
また、この考案の滑動ブロック１０３と該滑動ブロック１０３に対応する滑動溝２０３は、表面と底部における上方の表面に隣接する部分と下方の底部に隣接する部分のサイズが図6、7、8、9、1０に開示するように、上方が狭く、下方が広いか、もしくは上方が広く、下方が狭いか、もしくは同じ大きさか、中間部分が広いか、もしくは同じ大きさか、中間が狭く形成される。
【００２０】
また、この考案の滑動ブロック１０３の角部１０４は図１１、１２に開示するように、角を折り曲げて鈍角を形成するように設け、該角部１０４に対応する滑動ブロック２０３の角部２０４も同様に鈍角を形成するように設けてもよい。
【００２１】
この考案の滑動ブロック２０３は図１３に開示するように、単―の滑動ブロック１０３に形成するとともに、上アルミニウム型１０の単―滑動ブロック１０３を複数に形成してもよい。
【００２２】
さらに、この考案の上アルミニウム型１０の滑動ブロック１０３は図１４、１５に開示するように、鋸の歯を呈するように複数の滑動ブロック１０３に形成してもよく、対応する下アルミニウム型２０の滑動溝２０３も鋸の歯を呈するように複数の滑動溝２０３に形成してもよい。
【００２３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２４】
【図１】この考案の押し型を示した斜視図である。
【図２】図1に開示する押し型を示した分解図である。
【図３】図1に開示する押し型を示した断面図である。
【図４】図１に開示する押し型を組み合わせた状態を示した説明図である。
【図５】この考案の第―の実施形熊を示した縦方向の断面図である。
【図６】この考案の第二の実施形態を示した縦方向の断面図である。
【図７】この考案の第三の実施形熊を示した縦方向の断面図である。
【図８】この考案の第四の実施形態を示した縦方向の断面図である。
【図９】この考案の第五の実施形態を示した縦方向の断面図である。
【図１０】この考案の第六の実施形態を示した縦方向の断面図である。
【図１１】この考案の第セの実施形態を示した縦方向の断面図である。
【図１２】この考案の第八の実施形態を示した縦方向の断面図である。
【図１３】この考案の滑動ブロックと滑動溝を2つ形成した状態を示した縦方向の断面図である。
【図１４】この考案の滑動ブロックと滑動溝を複数形成した状態を示した縦方向の断面図である。
【図１５】この考案の滑動ブロックと滑動溝を複数形成した第二の実施形態を示した縦方向の断面図である。
【符号の説明】
【００２５】
１０      アルミニウム型
１０１    上アルミニウム型
１０２    押し圧面
１０３    押し圧面
１０４    滑動ブロック
１０５    角部
２０      下アルミニウム型
２０１    受圧面
２０２      受圧面
２０３      滑動溝
２０４      角部
３０        上アルミニウム型
３０１      上嵌合溝
３０２      押し圧面
４０        下アルミニウム型
４０１      下嵌合溝
４０２      受圧面
【図１】
0003127736.tif 000003
【図２】
0003127736.tif 000004
【図３】
0003127736.tif 000005
【図４】
0003127736.tif 000006
【図５】
0003127736.tif 000007
【図６】
0003127736.tif 000008
【図７】
0003127736.tif 000009
【図８】
0003127736.tif 000010
【図９】
0003127736.tif 000011
【図１０】
0003127736.tif 000012
【図１１】
0003127736.tif 000013
【図１２】
0003127736.tif 000014
【図１３】
0003127736.tif 000015
【図１４】
0003127736.tif 000016
【図１５】
0003127736.tif 000017
【手続補正書】
【提出日】平成18年10月5日(2006.10.5)
【手続補正１】
【補正対象書類名】実用新案登録請求の範囲
【補正対象項目名】請求項２
【補正方法】変更
【補正の内容】
【請求項２】
前記滑動ブロックと該滑動ブロックに対応する滑動溝は、両者の表面と底部における上方
の表面に隣接する部分と下方の底部に隣接する部分のザイズが、上方が狭く、下方が広い
か、もしくは上方が広く、下方が狭いか、もしくは同じ大きさか、中間部分が広いか、も
しくは同じ大きさか、中間が狭く形成されることを
特徴とする請求項１に記載のアルミニウム型。
【手続補正書】
【提出日】平成18年10月5日(2006.10.5)
【手続補正１】
【補正対象書類名】実用新案登録請求の範囲
【補正対象項目名】請求項２
【補正方法】変更
【補正の内容】
【請求項２】
前記滑動ブロックと該滑動ブロックに対応する滑動溝は、両者の表面と底部における上方
の表面に隣接する部分と下方の底部に隣接する部分のザイズが、上方が狭く、下方が広い
か、もしくは上方が広く、下方が狭いか、もしくは同じ大きさか、中間部分が広いか、も
しくは同じ大きさか、中間が狭く形成されることを
特徴とする請求項１に記載のアルミニウム型。